(57)【要約】  歯科用装置は、患者の歯の上の歯科矯正アライナに対して着座するように構成されたマウスピースと、マウスピースに接続されたモータとを含む。モータは、マウスピースが歯列矯正アライナに軸方向の振動力を加えるように、６０Ｈｚと１３０Ｈｚとの間の周波数でマウスピースを振動させるように構成される。
2019506252.tif 000002
【特許請求の範囲】
【請求項１】
患者の上側歯列弓と下側歯列弓との間で患者の口に着座するように構成されたマウスピースと、
前記マウスピースに接続されたモータであって、前記マウスピースが主に前記患者の口の矢状面内に振動力を加えるように、前記マウスピースを６０Ｈｚと１３０Ｈｚとの間の周波数で振動させるように構成されたモータと
を備える、歯科用装置。
【請求項２】
前記マウスピースが患者の歯の上の歯科矯正アライナに対して着座するように構成され、前記マウスピースが、前記患者の歯の上のアライナの咬合面の表面の差異に対応するように構成されたテクスチャおよびトポグラフィの差異を含む、請求項１に記載の方法。
【請求項３】
前記マウスピースが軟質のエラストマー材料を含む、請求項１に記載の装置。
【請求項４】
前記マウスピースは、患者の歯の上の歯科矯正アライナに対して着座するように構成され、前記マウスピースは、前記歯科矯正アライナのすべての咬合面に接触するように構成される、請求項１に記載の方法。
【請求項５】
前記マウスピースが取り外し可能なカバーをさらに含む、請求項１に記載の方法。
【請求項６】
前記マウスピースがＵ字形を有する、請求項１に記載の歯科用装置。
【請求項７】
前記患者の歯の前記咬合面に近接した前記振動を検出するように構成されたセンサをさらに備える、請求項１に記載の歯科用装置。
【請求項８】
前記マウスピースは、前記モータに最も近接している前記マウスピースの前部から、前記マウスピースの後部まで、テーパー状の厚さを有する、請求項１に記載の歯科用装置。
【請求項９】
前記マウスピースが、前記後部よりも前記前部の方が厚い、請求項８に記載の歯科用装置。
【請求項１０】
加速度が０．０１Ｇ〜１．０Ｇである、請求項１に記載の歯科用装置。
【請求項１１】
前記マウスピースに取り付けられた取っ手をさらに備え、前記モータが前記取っ手内に配置される、請求項１に記載の歯科用装置。
【請求項１２】
前記マウスピースは、通常の使用過程において前記歯科用装置から取り外されるように構成されている、請求項１１に記載の歯科用装置。
【請求項１３】
患者の歯の上の歯列矯正アライナに対して着座するように構成されたマウスピースと、
前記マウスピースに接続されたモータであって、前記マウスピースが前記歯列矯正アライナに軸方向の振動力を加えるように、前記マウスピースを６０Ｈｚと１３０Ｈｚとの間の周波数で振動させるように構成されたモータと
を備える、歯科用装置。
【請求項１４】
前記マウスピースが、前記歯列矯正アライナの咬合面の表面の差異に対応するように構成されたテクスチャおよびトポグラフィの差異を含む、請求項１３に記載の方法。
【請求項１５】
前記マウスピースが軟質のエラストマー材料を含む、請求項１３に記載の装置。
【請求項１６】
前記マウスピースは、前記歯列矯正アライナのすべての咬合面に接触するように構成されている、請求項１３に記載の方法。
【請求項１７】
前記マウスピースが取り外し可能なカバーをさらに含む、請求項１３に記載の方法。
【請求項１８】
前記マウスピースがＵ字形を有する、請求項１３に記載の歯科用装置。
【請求項１９】
前記患者の歯の前記咬合面に近接した前記振動を検出するように構成されたセンサをさらに備える、請求項１３に記載の歯科用装置。
【請求項２０】
前記マウスピースは、前記モータに最も近接している前記マウスピースの前部から、前記マウスピースの後部まで、テーパー状の厚さを有する、請求項１３に記載の歯科用装置。
【請求項２１】
前記マウスピースが、前記後部よりも前記前部の方が厚い、請求項２０に記載の歯科用装置。
【請求項２２】
加速度が０．０１Ｇ〜１．０Ｇである、請求項１３に記載の歯科用装置。
【請求項２３】
前記マウスピースに取り付けられた取っ手をさらに備え、前記モータが前記取っ手内に配置される、請求項１３に記載の歯科用装置。
【請求項２４】
前記マウスピースは、通常の使用過程において前記歯科用装置から取り外されるように構成されている、請求項１２に記載の歯科用装置。
【請求項２５】
取っ手と、
前記取っ手に近づくにつれて厚くなり、前記取っ手から遠ざかると薄くなるテーパー状のマウスピースであって、前記患者の上側歯列弓と下側歯列弓との間で患者の口に着座するように構成されたマウスピースと、
前記取っ手内にある前記マウスピースに接続されたモータであって、前記マウスピースを６０Ｈｚと１３０Ｈｚとの間の周波数で振動するように構成されたモータと
を備える、歯科用装置。
【請求項２６】
前記マウスピースが、前記患者の歯の咬合面の表面の差異に対応するように構成されたテクスチャおよびトポグラフィの差異を含む、請求項２５に記載の方法。
【請求項２７】
前記マウスピースが軟質のエラストマー材料を含む、請求項２５に記載の装置。
【請求項２８】
前記マウスピースが取り外し可能なカバーをさらに含む、請求項２５に記載の方法。
【請求項２９】
前記マウスピースが、前記患者の歯に適合するようにカスタマイズされている、請求項２５に記載の歯科用装置。
【請求項３０】
前記マウスピースがＵ字形を有する、請求項２５に記載の歯科用装置。
【請求項３１】
前記患者の歯の前記咬合面に近接した前記振動を検出するように構成されたセンサをさらに備える、請求項２５に記載の歯科用装置。
【請求項３２】
加速度が０．０１Ｇ〜１．０Ｇである、請求項２５に記載の歯科用装置。
【請求項３３】
取っ手と、
前記取っ手内にあるモータであって、前記マウスピースを６０Ｈｚと１３０Ｈｚの間の周波数で振動させるように構成されたモータと、
前記取っ手から出る前記モータから延びる駆動ピンであって、前記モータと一緒に前記シリンダの振動を可能にするように発泡シリンダに接続するように構成される駆動ピンと
を備える、歯科用装置。
【請求項３４】
前記発泡シリンダがスチレンコポリマーを含む、請求項３３に記載の歯科用装置。
【請求項３５】
患者の歯の咬合面に歯科矯正アライナを配置する工程と、
歯科用装置を対象の口腔内に配置して前記アライナに当接させる工程と、
前記マウスピースを６０Ｈｚと１３０Ｈｚの間の周波数で振動させて、前記マウスピースが前記歯科矯正アライナに軸方向の振動力を加えて、前記歯科矯正アライナを前記咬合面に着座させるようにする工程と
を含む、歯科矯正アライナを所望の位置に着座させる方法。
【請求項３６】
振動させる工程が、１日あたり５分未満の振動を含む、請求項３５に記載の方法。
【請求項３７】
振動させる工程は、前記歯列矯正アライナで覆われた前記患者の歯のすべてに対して前記マウスピースを振動させることを含む、請求項３５に記載の方法。
【請求項３８】
前記マウスピースが、主に前記患者の口の矢状面において、前記歯科矯正アライナに振動力を加える、請求項３５に記載の方法。
【請求項３９】
口腔インプラントのオッセオインテグレーションを改善／促進する方法であって、
口腔インプラントを含む患者の口内に歯科用装置を配置する工程と、
前記歯科用装置を振動させるために前記歯科用装置から高周波加速プログラムを選択する工程と、
前記口腔インプラントのオッセオインテグレーションを改善するために所定の時間、前記高周波加速プログラムを作動させる工程と
を含む、方法。
【請求項４０】
前記高周波加速プログラムは、０．３ｇの出力、６０Ｈｚの周波数、および４μεの負荷歪みを提供する、請求項３９に記載の方法。
【請求項４１】
前記高周波加速プログラムは、０．６ｇの出力、６０Ｈｚの周波数、および８μεの負荷ひずみを提供する、請求項３９に記載の方法。
【発明の詳細な説明】
【技術分野】
【０００１】
関連出願の相互参照
本願は、全体が参照により本明細書に組み込まれる、「ＭＥＴＨＯＤ  ＡＮＤ  ＤＥＶＩＣＥ  ＦＯＲ  ＤＥＮＴＡＬ  ＶＩＢＲＡＴＩＯＮ」と題された２０１６年２月２６日に出願された米国仮特許出願第６２／３００，７０５号に対する優先権を主張する。
【０００２】
この出願は、２０１３年３月１４日に出願された「ＭＥＴＨＯＤ  ＡＮＤ  ＤＥＶＩＣＥ  ＦＯＲ  ＩＮＣＲＥＡＳＩＮＧ  ＢＯＮＥ  ＤＥＮＳＩＴＹ  ＩＮ  ＴＨＥ  ＭＯＵＴＨ」と題する米国特許第１３／８２８，６９２号明細書、現米国特許出願公開第２０１３−０２８３４９０号明細書に関連し、これは「ＭＥＴＨＯＤ  ＡＮＤ  ＤＥＶＩＣＥ  ＦＯＲ  ＩＮＣＲＥＡＳＩＮＧ  ＢＯＮＥ  ＤＥＮＳＩＴＹ  ＩＮ  ＴＨＥ  ＭＯＵＴＨ」と題する２０１２年４月１３日に出願された米国特許仮出願第６１／６２４，１００号に対する優先権を主張しており、それぞれその全体が参照により本明細書に組み込まれる。
【０００３】
参照による組み込み
本明細書で言及されたすべての刊行物および特許出願は、個々の刊行物または特許出願が具体的かつ個別に参照により組み込まれると示されているのと同じ程度に、参照により本明細書に組み込まれる。
【背景技術】
【０００４】
ＣｌｅａｒＣｏｒｒｅｃｔ（商標）やＩｎｖｉｓａｌｉｇｎ（商標）などの歯科用アライナが、歯を所望の場所に移動させるために一般的に使用されている。歯科矯正医がブラケットを取り外すまで、ブラケットが患者の歯に永続的に接着される従来のブレースとは異なり、アライナは、患者が食べたり歯を磨いたりするたびに取り外されることを意図している。したがって、アライナは、１日に複数回再整列および／または再適用する必要がある。アライナが患者の歯に適切にはめ込まれない可能性があるので、アライナを毎回再固定しなければならないことは欠点を呈する。さらに、取り外した後にアライナを交換することは面倒な場合があるので、患者は、アライナを歯に適切に着座させるのに必要な時間を費やさない場合がある。
【０００５】
アライナの適切な着座を補助するために現在利用可能な１つの製品は、Ｃｈｅｗｉｅｓ（商標）アライナシータである。Ｃｈｅｗｉｅｓ（商標）アライナシータは、アライナを歯列の上に着座させることを意図したゴム引きのコットンロールである。使用に際し、患者は、アライナを入れた後に、Ｃｈｅｗｉｅｓ（商標）アライナシータを口内に入れる。その後患者はＣｈｅｗｉｅｓ（商標）アライナシータを「噛む」。Ｃｈｅｗｉｅｓ（商標）アライナシータを有効にするには、患者がＣｈｅｗｉｅｓ（商標）アライナシータに適切な力を付与する必要があり、それがひいてはアライナに力を加えて、患者の歯にそれをぴったりと適切に着座させる。
【０００６】
残念ながら、Ｃｈｅｗｉｅｓ（商標）レジメンは、それを最も効果的に使用する方法についてあまり指導がなく、患者任せであるため、Ｃｈｅｗｉｅｓ（商標）アライナシータがどれだけ優れた機能を果たすかについて大きな差異がある可能性がある。例えば、Ｃｈｅｗｉｅｓ（商標）アライナシータは、患者が歯のすべての咬合面に対してＣｈｅｗｉｅｓ（商標）アライナシータを接触させるのに必要な時間を費やすことができていないために、有効になっていない可能性がある。さらに、Ｃｈｅｗｉｅｓ（商標）アライナシータは、患者の口内のアライナのすべての上面に快適に到達することができない場合があり、したがって、アライナのいくつかの領域は良好に着座するが他の領域は着座しないということがある。さらに、Ｃｈｅｗｉｅｓ（商標）アライナシータを繰り返し使用すると、局所的な力のかかる点でアライナの歪みを引き起こす可能性がある。さらに、Ｃｈｅｗｉｅｓ（商標）アライナシータは、患者がＣｈｅｗｉｅｓ（商標）アライナシータを噛んでいるときに十分な力を用いないと効果がないことがあり、そのためＣｈｅｗｉｅｓ（商標）シータアライナがアライナを最適に着座させることができない場合がある。さらに、着座の推奨は様々であり、アライナトレイが新しい（すなわち変更直後）場合にのみＣｈｅｗｉｅｓ（商標）アライナシータを使用することから、他は毎日着座することを推奨する。そのため、現在の着座様式では、患者が一貫してアライナを完全に着座させることはありそうもない。アライナを適切に着座させないと、治療が遅くなり、時に患者が以前のトレイに戻ることになり、意図しない副次的な歯の移動を引き起こすことがある。したがって、アライナのより一貫した着座をもたらす、アライナを着座させる別の方法が必要とされている。
【発明の概要】
【課題を解決するための手段】
【０００７】
本開示は、一般に、歯科用装置に関する。より具体的には、本開示は、歯科矯正アライナを着座させるために使用される歯科用装置に関する。
【０００８】
一般に、一実施形態では、歯科用装置は、患者の上側歯列弓と下側歯列弓との間で患者の口に着座するように構成されたマウスピースと、マウスピースに接続されたモータとを含む。モータは、マウスピースが主に患者の口の矢状面内に振動力を加えるように、６０Ｈｚと１３０Ｈｚとの間の周波数でマウスピースを振動させるように構成される。
【０００９】
この実施形態および他の実施形態は、以下の特徴のうちの１つまたは複数を含むことができる。マウスピースは患者の歯の歯科矯正アライナに対して着座するように構成でき、マウスピースは、患者の歯に亘るアライナの咬合面の表面の差異に対応するように構成されるテクスチャおよびトポグラフィの差異を含むことができる。マウスピースは、軟質のエラストマー材料を含むことができる。マウスピースは、患者の歯の上の歯科矯正アライナに対して着座するように構成でき、マウスピースは、歯科矯正アライナのすべての咬合面に接触するように構成できる。マウスピースは、取り外し可能なカバーをさらに含むことができる。マウスピースはＵ字型を有することができる。歯科用装置は、患者の歯の咬合面に近接した振動を検出するように構成されたセンサをさらに含むことができる。マウスピースは、モータに最も近接しているマウスピースの前部から、マウスピースの後部まで、テーパー状の厚さを有することができる。マウスピースは、後部よりも前部で厚くすることができる。加速度は、０．０１Ｇと１．０Ｇとの間であり得る。歯科用装置は、マウスピースに取り付けられた取っ手をさらに含むことができ、モータは取っ手内に配置される。
【００１０】
マウスピースは、通常の使用過程で歯科用装置から取り外すように構成することができる。
【００１１】
一般に、一実施形態では、歯科用装置は、患者の歯の歯科矯正アライナに対して着座するように構成されたマウスピースと、マウスピースに接続されたモータとを含む。モータは、マウスピースが歯列矯正アライナに軸方向の振動力を加えるように、６０Ｈｚと１３０Ｈｚとの間の周波数でマウスピースを振動させるように構成される。
【００１２】
この実施形態および他の実施形態は、以下の特徴のうちの１つまたは複数を含むことができる。マウスピースは、歯列矯正アライナの咬合面の表面の差異に対応するように構成されたテクスチャおよびトポグラフィの差異を含むことができる。マウスピースは、軟質のエラストマー材料を含むことができる。マウスピースは、歯列矯正アライナのすべての咬合面に接触するように構成することができる。マウスピースは、取り外し可能なカバーをさらに含むことができる。マウスピースはＵ字型を有することができる。歯科用装置は、患者の歯の咬合面に近接した振動を検出するように構成されたセンサをさらに含むことができる。マウスピースは、モータに最も近接しているマウスピースの前部から、マウスピースの後部まで、テーパー状の厚さを有することができる。マウスピースは、後部よりも前部で厚くすることができる。加速度は、０．０１Ｇと１．０Ｇとの間であり得る。歯科用装置は、マウスピースに取り付けられた取っ手をさらに含むことができ、モータは取っ手内に配置される。マウスピースは、通常の使用過程で歯科用装置から取り外すように構成することができる。
【００１３】
一般に、一実施形態では、歯科用装置は、取っ手、テーパー状のマウスピース、およびモータを含む。テーパー状のマウスピースは、取っ手に近づくにつれて厚くなり、取っ手から遠ざかると薄くなる。マウスピースは、患者の上側歯列弓と下側歯列弓との間で患者の口に着座するようにさらに構成されている。モータは、取っ手内にあり、マウスピースに接続されており、６０Ｈｚと１３０Ｈｚとの間の周波数でマウスピースを振動させるように構成される。
【００１４】
この実施形態および他の実施形態は、以下の特徴のうちの１つまたは複数を含むことができる。マウスピースは、患者の歯の咬合面の表面の差異に対応するように構成されたテクスチャおよびトポグラフィの差異を含み得ることを含むことができる。マウスピースは、軟質のエラストマー材料を含むことができる。マウスピースは、取り外し可能なカバーをさらに含むことができる。マウスピースは、患者の歯に適合するようにカスタマイズすることができる。マウスピースはＵ字型を有することができる。歯科用装置は、患者の歯の咬合面に近接した振動を検出するように構成されたセンサをさらに含むことができる。加速度は、０．０１Ｇと１．０Ｇの間であり得る。
【００１５】
一般に、一実施形態では、歯科用装置は、取っ手と、取っ手内のモータと、駆動ピンとを含む。モータは、６０Ｈｚと１３０Ｈｚとの間の周波数でマウスピースを振動させるように構成される。駆動ピンは、取っ手から出るモータから延び、モータと一緒にシリンダの振動を可能にするように発泡シリンダに接続するように構成されている。
【００１６】
この実施形態および他の実施形態は、以下の特徴のうちの１つまたは複数を含むことができる。
【００１７】
発砲シリンダはスチレンコポリマーを含むことができる。
【００１８】
一般に、一実施形態では、歯科矯正アライナを所望の位置に着座させる方法は、患者の歯の咬合面に歯科矯正アライナを配置する工程と、歯科用装置を対象の口腔内に配置してアライナに当接させる工程と、マウスピースを６０Ｈｚと１３０Ｈｚの間の周波数で振動させて、マウスピースが歯科矯正アライナに軸方向の振動力を加えて、歯科矯正アライナを咬合面に着座させるようにする工程とを含む。
【００１９】
この実施形態および他の実施形態は、以下の特徴のうちの１つまたは複数を含むことができる。振動させる工程は、１日あたり５分未満振動させることを含むことができる。振動させる工程は、歯列矯正アライナで覆われた患者の歯のすべてに対してマウスピースを振動させることを含むことができる。
【００２０】
マウスピースが、主に患者の口の矢状面において、歯科矯正アライナに振動力を加えることができる。
【００２１】
一般に、一実施形態では、口腔インプラントのオッセオインテグレーションを改善／促進する方法は、口腔インプラントを含む患者の口内に歯科用装置を配置する工程と、歯科用装置を振動させるために歯科用装置から高周波加速プログラムを選択する工程と、口腔インプラントのオッセオインテグレーションを改善するために所定の時間、高周波加速プログラムを作動させる工程とを含む。
【００２２】
この実施形態および他の実施形態は、以下の特徴のうちの１つまたは複数を含むことができる。高周波加速プログラムは、０．３ｇの出力、６０Ｈｚの周波数、および４μεの負荷歪みを提供できる。高周波加速プログラムは、０．６ｇの出力、６０Ｈｚの周波数、および８μεの負荷歪みを提供できる。
【００２３】
本発明の新規な特徴は、以下の特許請求の範囲に詳細に記載されている。本発明の特徴および利点のより良い理解は、本発明の原理が利用される例示的な実施形態を説明する以下の詳細な説明および添付の図面を参照することによって得られるであろう。
【図面の簡単な説明】
【００２４】
【図１Ａ】本明細書で説明するマウスピースおよび基部を有する例示的な歯科用装置を示す。
【図１Ｂ】基部から外された図１Ａのマウスピースを示す。
【図１Ｃ】図１Ａのマウスピースおよび基部の分解図を示す。
【図２】図１の歯科用装置の振動を示す。
【図３Ａ】マウスピースの延長部とインラインで配置されたマウスピース内にモータを有する歯科用装置の例示的なマウスピースを示す。
【図３Ｂ】図３Ａのマウスピースの分解図である。
【図３Ｃ】図３Ａのマウスピースを患者の口に配置した状態を示す。
【図３Ｄ】本明細書に記載の歯科用装置の振動の周波数または加速度を調整するために使用されるフィードバックループのフローチャートである。
【図４Ａ】マウスピース内の、マウスピースの延長部に対して水平に、マウスピースのバイトプレートの内側に配置されるモータを有する歯科用装置の代替の例示的なマウスピースを示す。
【図４Ｂ】図４Ａのマウスピースの分解図である。
【図４Ｃ】図４Ａのマウスピースを患者の口に配置した状態を示す。
【図５Ａ】マウスピース内の、マウスピースの延長部に対して水平に、マウスピースのバイトプレートの外側に配置されるモータを有する歯科用装置の代替の例示的なマウスピース部分を示す。
【図５Ｂ】図５Ａのマウスピースの分解図である。
【図５Ｃ】図５Ａのマウスピースを患者の口に配置した状態を示す。
【図６】本明細書に記載の歯科用装置の例示的な基部の分解図である。
【図７Ａ】隆起したディンプルを有する例示的なバイトプレートを示す。
【図７Ｂ】図７Ａのバイトプレートの断面図である。
【図８Ａ】本明細書に記載されている典型的なマウスピースのバイトプレートおよび分離可能マウスガードを示す。
【図８Ｂ】本明細書に記載されている典型的なマウスピースのバイトプレートおよび分離可能マウスガードを示す。
【図９Ａ】本明細書に記載のマウスガードを形成するための例示的なオーブンを示す。
【図９Ｂ】本明細書に記載のマウスガードを形成するための例示的なオーブンを示す。
【図１０Ａ】本明細書に記載のマウスガードを形成するための代替の例示的なオーブンを示す。
【図１０Ｂ】本明細書に記載のマウスガードを形成するための代替の例示的なオーブンを示す。
【図１１】マウスガードを患者の歯に形成するための真空チューブを有する例示的なマウスガードを示す。
【図１２Ａ】本明細書に記載の歯科用装置の代替の実施形態を示す。
【図１２Ｂ】図１２Ａのマウスピースの別の図である。
【図１２Ｃ１】図１２Ａの歯科用装置におけるモータの配置を示す。
【図１２Ｃ２】図１２Ａの歯科用装置におけるモータの配置を示す。
【図１２Ｄ】図１２Ａの歯科用装置におけるモータの配置を示す。
【図１３Ａ】本明細書に記載のマウスピースの代替の実施形態を示す。
【図１３Ｂ】本明細書に記載のマウスピースの代替の実施形態を示す。
【図１３Ｃ】本明細書に記載のマウスピースの代替の実施形態を示す。
【図１３Ｄ】本明細書に記載のマウスピースの代替の実施形態を示す。
【図１３Ｅ】本明細書に記載のマウスピースの代替の実施形態を示す。
【図１３Ｆ】本明細書に記載のマウスピースの代替の実施形態を示す。
【図１４Ａ】本明細書に記載の歯科用装置の代替の実施形態を示す。
【図１４Ｂ】本明細書に記載の歯科用装置の代替の実施形態を示す。
【図１４Ｃ】本明細書に記載の歯科用装置の代替の実施形態を示す。
【図１４Ｄ】本明細書に記載の歯科用装置の代替の実施形態を示す。
【図１５Ａ】本明細書に記載の歯科用装置の例示的な充電ステーションを示す。
【図１５Ｂ】本明細書に記載の歯科用装置の例示的な充電ステーションを示す。
【図１６Ａ】本明細書に記載の歯科用装置の代替の例示的な充電ステーションを示す。
【図１６Ｂ】本明細書に記載の歯科用装置の代替の例示的な充電ステーションを示す。
【図１６Ｃ】本明細書に記載の歯科用装置の代替の例示的な充電ステーションを示す。
【図１６Ｄ】本明細書に記載の歯科用装置の代替の例示的な充電ステーションを示す。
【図１７Ａ】本明細書に記載の歯科用装置の代替の例示的な充電ステーションを示す。
【図１７Ｂ】本明細書に記載の歯科用装置の代替の例示的な充電ステーションを示す。
【図１７Ｃ】本明細書に記載の歯科用装置の代替の例示的な充電ステーションを示す。
【図１７Ｄ】本明細書に記載の歯科用装置の代替の例示的な充電ステーションを示す。
【図１８】本明細書に記載の歯科用装置のマウスピースと基部との間の例示的な接続システムを示す。
【図１９】本明細書に記載の歯科用装置のマウスピースと基部との間の代替の例示的な接続システムを示す。
【図２０】本明細書に記載の歯科用装置のマウスピースと基部との間の代替の例示的な接続システムを示す。
【図２１Ａ】本明細書に記載の例示的な振動歯科用装置の分解図を示す。
【図２１Ｂ】図２１Ｂの装置の別の図である。
【図２１Ｃ】図２１Ａの歯科用装置の使用を示す。
【図２１Ｄ】図２１Ａの歯科用装置の使用を示す。
【図２２】本明細書に記載の代替の例示的な振動歯科用装置の分解図を示す。
【図２３Ａ】その中にパンケーキ形モータを有する基部延長部を示す。
【図２３Ｂ】例示的なパンケーキ形モータを示す。
【図２４Ａ】本明細書に記載の歯科用装置の三日月形状のバイトプレートの側面図を示す。
【図２４Ｂ】図２４Ａの三日月形状のバイトプレートの正面図を示す。
【図２４Ｃ】図２４Ａの三日月形のバイトプレートを有する装置の使用例を示す。
【図２５Ａ】本明細書に記載の歯科用装置のダブルハンマー形状のバイトプレートの側面図を示す。
【図２５Ｂ】図２５Ａのダブルハンマー形状のバイトプレートの正面図を示す。
【図２５Ｃ】図２５Ａのダブルハンマー形状のバイトプレートを有する装置の例示的な使用を示す。
【図２６Ａ】本明細書に記載の歯科用装置の細長いバイトプレートの側面図を示す。
【図２６Ｂ】図２６Ａの細長いバイトプレートの正面図を示す。
【図２６Ｃ】図２６Ａの細長いバイトプレートを有する装置の例示的な使用を示す。
【図２７Ａ】本明細書に記載の歯科用装置の例示的な基部の正面図を示す。
【図２７Ｂ】本明細書に記載の歯科用装置の例示的な基部の側面図を示す。
【図２７Ｃ】本明細書に記載の歯科用装置の例示的な基部の背面図を示す。
【図２８】図２７Ａ〜図２７Ｃの基部を有する装置の例示的な使用を示す。
【図２９Ａ】アライナ用の着座装置として歯科用装置を使用する前の患者の口内の歯科用装置を示す。
【図２９Ｂ】歯科用装置を使用した後患者の歯の上に着座しているアライナを示す。
【図２９Ｃ】アライナの着座に使用するための例示的な装置を示す。
【図３０Ａ】テーパー状のマウスピースおよび縮小プロファイルの取っ手を含む振動装置の例示的な実施形態を示す。
【図３０Ｂ】テーパー状のマウスピースおよび縮小プロファイルの取っ手を含む振動装置の例示的な実施形態を示す。
【図３０Ｃ】テーパー状のマウスピースおよび縮小プロファイルの取っ手を含む振動装置の例示的な実施形態を示す。
【図３１】図３０Ａ〜図３０Ｃの取っ手の分解図を示す。
【図３２Ａ】充電ステーション内に配置された振動装置を示す。
【図３２Ｂ】充電ステーション内に配置された振動装置を示す。
【図３２Ｃ】充電ステーション内に配置された振動装置を示す。
【図３２Ｄ】充電ステーション内に配置された振動装置を示す。
【図３３Ａ】発泡体の円筒状部品に接続される振動式の取っ手を示す。
【図３３Ｂ】発泡体の円筒状部品に接続される振動式の取っ手を示す。
【図３３Ｃ】発泡体の円筒状部品に接続される振動式の取っ手を示す。
【図３４Ａ】アライナを着座させるための振動装置の使用を示す。
【図３４Ｂ】アライナを着座させるための振動装置の使用を示す。
【図３５Ａ】振動装置の使用後に着座しているアライナを示す。
【図３５Ｂ】振動装置の使用後に着座しているアライナを示す。
【図３５Ｃ】振動装置の使用後に着座しているアライナを示す。
【図３５Ｄ】振動装置の使用後に着座しているアライナを示す。
【図３５Ｅ】振動装置の使用後に着座しているアライナを示す。
【図３６Ａ】振動装置の使用について追跡するように構成されたアプリケーションの例示的なユーザインタフェースを示す。
【図３６Ｂ】振動装置の使用について追跡するように構成されたアプリケーションの例示的なユーザインタフェースを示す。
【図３６Ｃ】振動装置の使用について追跡するように構成されたアプリケーションの例示的なユーザインタフェースを示す。
【図３７Ａ】ｘ、ｙ、ｚ方向の振動式歯科用装置に加えられる力の量を検証するための実験的構成を示す。
【図３７Ｂ】実験結果を示す表である。
【発明を実施するための形態】
【００２５】
本明細書には、歯科用装置が記載されている。歯科用装置は、患者の歯の咬合面の全部または一部の上に位置するように構成されたバイトプレートを有するマウスピースを有するまたは含む。歯科用装置は、３００Ｈｚ未満の周波数、例えば２６２Ｈｚ未満、例えば６０Ｈｚと１２０Ｈｚとの間、例えば１１０Ｈｚと１３０Ｈｚとの間、例えば約１２０Ｈｚ、および０．００１ｇ〜３．０ｇ、例えば０．０１Ｇと１．０Ｇとの間の加速度で振動するよう構成でき、マウスピースが、患者の歯および／または歯科矯正アライナの咬合面に軸方向の振動力を加えるようにする。そのような力は、例えば、アライナを着座し、歯の動きを加速し、および／または骨の成長を促進することができる。
【００２６】
図１Ａ〜図１Ｃを参照すると、歯科用装置１００は、取り付けられる基部１０４を有するマウスピース１０２を含む。マウスピース１０２は基部１０４から分離可能である。マウスピース１０２は、（以下にさらに説明するように、その上に別個のマウスガードを有するか有さない）バイトプレート１１４と、基部１０４と接続するように構成されたマウスピース延長部１１０とを含むことができる。一実施形態（図１Ａ〜図１Ｃに示すように）において、バイトプレート１１４は、患者の歯のすべてまたはほぼすべての咬合面を覆うように、ほぼＵ字形であり得る。さらに、モータ１０６をマウスピース１０２内に配置し、マウスピース１０２を振動させるように構成することができる。基部１０４は、モータ１０６を作動させるのに必要な電子機器を含むことができる。接点１０８は、基部１０４をマウスピース１０６に電気的に接続することができる。
【００２７】
図２に示すように、モータ１０６は、延長部１１０とインラインで延在する（すなわち、その長手軸が延長部１１０の長手軸に平行に水平に置かれる）カウンタウェイトモータであってもよい。モータ１０６は、モータ１０６の長手軸から軸外れしたカウンタウェイト２１２を含むことができる。その結果、図２の矢印１１１で示すように、モータ１０６が回転すると、カウンタウェイト２１２が上下に移動し、マウスピース１０２が図２の矢印１１３ａ〜ｄで示すように上下に振動する。したがって、図３Ｃを参照すると、マウスピース１０２を患者の口に配置して、歯科用装置１００の電源をオンにしたとき、マウスピース１０２の振動は、歯またはその上に配置された歯列矯正アライナの咬合面３２０に軸方向の振動力を与える、すなわち、バイトプレート１１４は、歯または歯科矯正アライナの咬合面３２０から軸方向に離れるように移動し、次いで、歯または矯正アライナの咬合面３２０上に反復して戻る。この上下に「スマッキングする」動作は、咀嚼動作をシミュレートすることができる。咀嚼動作をシミュレートすることにより、口内の骨（例えば、歯）が、身体の自然なメカニズムにより強化される、すなわち、スマッキングする動作によって骨の成長が起こる。さらに、このシミュレートされた咀嚼動作は、歯に対して歯科矯正アライナを着座させるのに役立ち得る。
【００２８】
他の実施形態では、図２３Ａ〜図２３Ｂに示すように、モータ１０６は、上下に移動する（図２３Ｂの矢印２３１３ａ、２３１３ｂで示す）ドラム２３０７を含むパンケーキ形モータ２３０６と置き換えることができる。ドラム２３０７は、ドラム２３０７を電源２３１１に接続することができる２本のリード２３０９ａ、２３０９ｂに取り付けることができる。パンケーキ形モータ２３０６は、図２３Ａに示すように、基部２３０４上の延長部２３２０に配置することができ（基部の延長部のモータ２３０６も図２７Ａ〜２７Ｃに示す）、またはマウスピースの延長部と共に配置できる。さらに、いくつかの実施形態では、パンケーキ形モータ２３０６は、図２８に示すように、モータが歯のちょうど内側に延びるように配置することができる。モータ１０６と同様に、モータ２３０６は、歯の咬合面に軸方向の振動力を加えることができる。すなわち、マウスピースは、咬合面から軸方向に離れるように動くことができ、次いで咬合面に戻り、「スマッキングする」動作を繰り返すことができる。
【００２９】
モータ１０６またはモータ２３０６の代わりに他のタイプのモータを使用して、同様にバイトプレート１１４が歯をスマッキングするようにしてもよいことを、理解されたい。例えば、モータは、圧電モータ、リニアモータ、または電磁モータであってもよい。さらに、モータ１０６および２３０６は、本明細書に記載の実施形態のいずれかのために交換可能であることを理解されたい。本明細書に記載の装置に使用されるモータは、小型軽量であることが有利であり得る。例えば、モータは２グラム未満、例えば１．５グラム未満、１．２グラム以下などであってもよい。さらに、モータは、電力要件が低いように低電流を必要とするように構成することができる。例えば、モータが動作するのに必要な電圧は、５ボルト未満、例えば４ボルト未満、３ボルト未満、または２ボルト未満であってもよい。いくつかの実施形態では、モータは０．５ボルトと４ボルトの間、例えば約１．５ボルトを必要とする。さらに、モータは、２００ｍＷ未満の電力のような２５０ｍＷ未満の電力を有利に消費することができ、および／または６５ｍＡ未満などの７５ｍＡ未満などの１００ｍＡ未満の動作電流を有することができる。結果として、装置全体（マウスピースおよび基部を含む）は、有利には、１００グラム未満、例えば７５グラム未満、５０グラム未満、４０グラム未満、または３５グラム未満であり得る。
【００３０】
いくつかの実施形態では、図３Ａ〜図３Ｂに示すように、装置１００は、歯の咬合面に直近の振動の加速度または周波数を検出するように構成された圧電センサなどのセンサ１１８を含むことができる。センサ１１８は、例えば、バイトプレートの外側または内側に配置することができる。センサ１０８は、モータ１０６を動作させるためのフィードバックループを含む回路に接続することができる。すなわち、マウスピース１０２が歯に触れると、マウスピース１０２と歯との間の表面の接触および／または力が振動を減衰させ、および／またはモータを減速させることができる。そのため、フィードバックループを使用して、減速したモータを補償することができる。
【００３１】
図３Ｄを参照すると、フィードバックループは、工程３７１において、歯科用装置（例えば、装置１００または本明細書に記載された任意の装置）を用いて歯に振動を加えることを含むことができる。振動の加速度または周波数は、工程３７３において、センサ１１８などで、歯の位置または歯の近くで検知または測定することができる。検知された加速度または周波数は、工程３７５で所望の加速度または周波数と比較することができる。工程３７５では、周波数または加速度が低過ぎるかどうかを判定することができる。そうであれば、工程３７７で周波数または加速度を増加させることができる。そうでない場合、工程３７９で、検知された周波数または加速度が高過ぎるかどうかを判定することができる。そうであれば、工程３８１で周波数または加速度を減少させることができる。フィードバックループを繰り返すことができる。したがって、モータにおける振動の加速度または周波数は、歯との相互作用によって引き起こされる減衰効果に関わらず、マウスピース１０２で所望の加速度または周波数を得るように調整することができる。
【００３２】
図３Ａ〜図３Ｂに示す一実施形態では、モータ１０６はマウスピース１０２の延長部１１０内に配置することができる。したがって、例えば、延長部１１０は、モータ１０６を収容するためのポケット１１６を有することができる。モータ１０６が患者の口内に少なくとも部分的に配置されるように、すなわち口腔内に配置されるように（例えば、図３Ｃを参照）、モータ１０６は、バイトプレート１１４の１ｍｍ内など、バイトプレート１１４の近くに配置することができる。例えば、振動を引き起こすカウンタウェイト２１２は、歯科用装置１００が使用されているときに患者の口の中に位置するように配置することができる。モータ１０６を口腔内に配置することで、有利に、マウスピース２１２が患者の歯および／または歯科矯正アライナの咬合面をスマッキングする能力が高まり、また、装置が口の外側に遠くへ広がり過ぎることを回避する。それは手を使わずに基部を使用することを意図している場合に、患者に対して不快感を生じ得る。
【００３３】
モータは、マウスピース１０２の延長部４１０の内側にあり、マウスピース１０２の延長部４１０とインラインであると説明してきたが、他の構成も可能である。例えば、図４Ａ〜図４Ｂを参照すると、一実施形態では、歯科用装置４００は、バイトプレート４１４の内側に配置されたモータ４０６を有することができる。さらに、モータ４０６は、延長部４１０内に水平に置くことができるが、その長手軸が延長部４１０の長軸に対して垂直に延びるように配置することができる。モータの水平構成により、カウンタウェイト２１２が依然スマッキングする動作をもたらすことが可能になる一方、垂直構成により、例えば口蓋に位置している患者の口の歯の内側にモータ４０６が位置することが可能になる。
【００３４】
同様に、図５Ａ〜図５Ｂを参照すると、歯科用装置５００は、延長部の内側に位置し、延長部５１０に対して水平で垂直なモータ５０６を有することができる。上述したように、モータの水平構成により、カウンタウェイト２１２はスマッキングする動作をもたらすことができる。
【００３５】
いくつかの実施形態では、本明細書に記載のモータは、周囲のセラミックスリーブのような絶縁体を含むことができる。
【００３６】
図２１Ａ〜図２１Ｄおよび図２４Ａ〜図２６Ｃを参照すると、本明細書に記載の装置は、すべての歯を覆うように構成されたマウスピースを含む必要はない。むしろ、特に特定の歯を対象とするマウスピースを使用することができる。図２１Ａ〜図２１Ｄおよび図２４Ａ〜図２６Ｃに関して図示および説明したマウスピースは、本明細書に記載のモータ、基部、およびガードのいずれかと共に使用することができることを理解されたい。
【００３７】
例えば、図２４Ａ〜図２４Ｃを参照すると、マウスピース２４０２は、ソーシャル６を覆うように構成された三日月形のバイトプレート２４１４を有することができる。このような設計は、例えば、ソーシャル６における叢生を治療するために有利であり得る。
【００３８】
別の例として、図２５Ａ〜図２５Ｃを参照すると、マウスピース２５０２は、臼歯のみを覆うように構成されたダブルハンマー形状のバイトプレート２５１４を有することができる。そのような設計は、例えば臼歯の前突または退縮を治療するために有利であり得る。したがって、バイトプレート２５１４は、舌に載るように構成された狭い中央部分２４８２と、臼歯の咬合面に載るように構成された２つの細長い縁部分２４８４ａ、２４８４ｂとを含むことができる。さらに、中央部分２４８２は、快適性および使い易さのために舌の上に位置するように構成された凸部２４９９を含むことができる。
【００３９】
別の例として、図２６Ａ〜図２６Ｃを参照すると、マウスピース２６０２は、細長いバイトプレート２６１４を有することができる。細長いバイトプレート２６１４は、口の一方の側および／または歯の１象限に配置されるように構成することができる。
【００４０】
別の例として、図２１Ａ〜図２１Ｄに示す一実施形態では、装置２１１は、丸みのある端部またはナブ２１３を含むことができる。ナブ２１３は、その内部にモータ２１５を含むことができ、モータ２１５は、上述のモータと同様に構成することができる。図２１Ｃ〜図２１Ｄに示すように、完全なマウスピースではなくナブ２１３のみを有することにより、治療を必要とする特定の個々の歯を対象とすることができる。ナブのバリエーションは可能である。例えば、図２２を参照すると、装置２２１１のナブ２２１３は、より穏やかな振動力を歯に与えるように構成された端部にブラシ２２０７を含むことができる。
【００４１】
図７Ａおよび図７Ｂを参照すると、本明細書に記載のマウスピースのいずれかのためのバイトプレート７１４は、隆起したディンプル７３２または外向きの延長部を含むことができる。治療することが意図された各歯に対して、およそ１つのディンプル７３２が存在し得る。さらに、ディンプル７３２は、マウスピースが使用されているときに、患者の歯の咬合面の一部または全部の中心とほぼ整列するように離間させていてもよい。ディンプル７３２は、各歯との接触が確実に行われるように延長された接触点を提供することによって、マウスピースが効果的に歯をスマッキングするのを、有利にも助けることができる。いくつかの実施形態では、ディンプル７３２は、患者の歯の位置合わせに合わせてカスタマイズすることができる。各ディンプル７３２は、対応する歯の表面積の７０％未満、例えば、５０％未満の表面積を有するピークを有することができ、それぞれの歯の７５％未満または５０％未満に圧力をかけることができる。
【００４２】
図８を参照すると、マウスピース８０２（本明細書に記載の任意のマウスピースに対応することができる）は、２つの分離可能な部品、バイトプレート８１４およびマウスガード８３４を含むことができる。バイトプレート８１４は、金属のような硬い材料から作ることができる。マウスガードは、ポリマーなどのより柔らかい材料で作ることができる。
【００４３】
いくつかの実施形態では、マウスガード８３４は、患者の口に合うように適合させることができる。合うように適合させたマウスガード８３４を有することにより、マウスピース８０２は、患者の歯に振動式のスマッキング力を加える際に、より効率的かつ効果的になることができる。図８に示すように、マウスガード８３４は、形成後にマウスガード８３４をバイトプレート８１４上に配置するために使用できる穴８３６を含むことができる。
【００４４】
図９を参照すると、マウスガード８３４は、オーブン９４０を使用することによって、迅速かつ容易に現場、例えば、歯科医の診療室で、数分以内に製造することができる。オーブン９４０を使用してマウスガード８３４を形成するために、マウスガード８３４はシリコーンまたはエチレン酢酸ビニルコポリマー、例えばＥｌｖａｘ（登録商標）のような材料で作ることができ、これは一度温めると容易に成形可能である。オーブン９４０は、マウスガード８１４を加熱するように構成された赤外線電球、加熱ランプ、または加熱コイルなどの熱源９４１を含むことができる。マウスガードプリフォーム９３３（すなわち、歯に合わせてまだ形成されていないもの）は、バイトプレート（本明細書に記載されたバイトプレートのいずれかとすることができる）の周囲およびオーブン９４０内に配置することができる。マウスガードプリフォーム９３３およびバイトプレートは、１２０°Ｆ〜２００°Ｆ、２００°未満、または１７５°未満の温度で１〜１０分間、熱源９４１に曝すことができる。好都合なことに、マウスガードプリフォーム９３３が温まると、それは若干柔らかくなり、それによって全体の形状を失うことなくバイトプレートの任意のディンプルの形状に適合することができる。さらに、マウスガードプリフォーム９３３が十分に温められると、使用者はオーブン９４０からマウスガードプリフォーム９３３を取り出し、患者に噛ませて、マウスガードプリフォーム９３３において歯の印象を残すことができる。好都合には、マウスガードを加熱するために１２０°Ｆ〜２００°Ｆ、２００°未満、または１７５°未満の温度を使用することにより、マウスガードプリフォーム９３３は、患者に火傷を負わせないようにするために、患者の口に入ると十分に冷たくなる（例えば２１２°を超える温度とは対照的に）。患者が噛んだ後、マウスガードプリフォーム８３３が冷却すると、その形状が保持され、それによって最終的なマウスガード８３４を形成する。
【００４５】
オーブン９４０は、様々な構成を有することができる。いくつかの実施形態では、オーブン９４０は比較的小さく、診察室のカウンターや机に容易に置くことができる。いくつかの実施形態では、オーブン９４０は、取っ手付きの引き出し９３２を含むことができ、引き出し９３２は、マウスガードプリフォーム９３３を保持するように構成することができる。別の実施形態では、オーブン９４０は、棚９９２およびヒンジ付きドア９９４を含むことができる。オーブン９４０は、使い易さを増すために、電源スイッチ、表示灯、タイマー、および／またはディスプレイをさらに含むことができる。
【００４６】
図１１に示すいくつかの実施形態では、マウスガード１１３４は、マウスピース１１３４が完全に冷却される前に、吸引してマウスガード１１３４を歯の表面のすべてに正確に適合させるために、真空ポート１１４４を有することができる。真空ポート１１４４は、マウスガード１１３４が完全に形成された後に取り外すことができる。
【００４７】
図１３Ａ〜図１３Ｆに示すように、本明細書に記載の歯科用装置のマウスピース１３０２は、患者の口に合わせて形成する必要があるのではなく、設定された形状を有することができる。さらに、図１３Ａ〜図１３Ｆに示すように、マウスピースは、別個のバイトプレートおよびマウスガードを含む必要はない。むしろ、マウスピースは単一部品で形成することができる。
【００４８】
本明細書に記載のマウスピースのいずれかは、基部１０４または代替の基部などの基部に接続することができる。例えば、図６を参照すると、基部６０４は、本明細書に記載のマウスピースのいずれかに接続することができる。基部６０４は、ハウジング６２２と、振動を制御するオン／オフスイッチ６２４と、基部６０４をマウスピースに電気的に接続する電気接点６３０と、モータに電力を供給するためのバッテリ６２６と、モータを制御する回路基板６２８とを含むことができる。基部６０４は、患者の手によって容易に保持されるように成形することができる。一実施形態では、基部６０４は装置の使用時に患者が握る必要がないほど十分に小さく、軽い。
【００４９】
別の例として、図２７Ａ〜図２８を参照すると、基部２８０４は、本明細書に記載のマウスピースのいずれかに接続することができる。基部２８０４は、片手で容易に保持されるように構成された取っ手２８８１と、マウスピースコネクタ２８８７とを含むことができる。取っ手２８８１は、取っ手２８８１を握ったときに人の指の快適な休止スポットを提供するように構成されたくぼみ２８８３、例えば４つのくぼみを含むことができる把持部２８８５を含むことができる。図２８に示すように、取っ手２８８１は、装置を前方または上方に傾斜させる必要なく把持部２８８５を手で把持できるように、湾曲させることができる。例えば、把持部２８８５とマウスピースコネクタ２８８７との間の角度は、３０度と６０度の間、例えば約４５度であり得る。図２７Ａ〜図２７Ｃを再び参照すると、基部２８０４は、その中のモータのためのバッテリなどの電源を収容することができる。基部２８０４は、振動を制御するためのオン／オフスイッチ２８２４を含むことができる。さらに、いくつかの実施形態では、基部２８０４は、バッテリ残量を示すバッテリ表示灯２８９３をその上に含むことができる。いくつかの実施形態では、基部２８０４は、以下に説明するように、充電ステーションと対話するための接点２８９１も含むこともできる。さらに、いくつかの実施形態は、図２７Ａ〜図２８または図３１に関して説明されるＬＥＤ進行インジケータを含むことができる。
【００５０】
図１２Ａ〜図１２Ｄを参照すると、別の例示的な基部１２０４は、本明細書に記載のマウスピースのいずれかと共に使用することができる。図１２Ａ〜図１２Ｄに示すように、基部１２０４は、その中に（マウスピース内のモータの代わりに、またはマウスピース内のモータに加えて）モータ１２０６を含むことができる。モータを基部に含めることにより、有利にも、マウスピースを可能な限りスリムにすることを可能にしながらも、バッテリへ接続するためのスペースがより広くなる。例えば、マウスピース１２０２は、モータを含まなくてもよい。
【００５１】
図１２Ａ〜図１２Ｄおよび図１８〜図２０に示すように、マウスピースは、様々な方法で基部に接続するように構成することができる。例えば、図１２Ａ〜図１２Ｂに示すように、基部１２０４は、モータ１２０６を収容するための延長部１２２０を含むことができ、一方でマウスピース１２０２の延長部１２１０は、基部１２０４の延長部１２２０に嵌合するまたはそれを収容する穴１２２１を含むことができる。対照的に、図１２Ｃ〜図１２Ｄを参照すると、基部１２０４は、モータ１２０６を保持し、また我々の収容、マウスピース１２０２の延長部１２１０を係合させる穴１２２２を有する延長部１２２０を含むことができる。マウスピース１２０２の延長部１２１０は、基部１２０４にスナップ嵌めされたときにモータ１２０６に嵌合する対応する切り欠き１２３２を含むことができる。
【００５２】
一実施形態では、図１８に示すように、基部１８０４およびマウスピース１８０２は、接続の向きを設定することができ、解放ボタン１８４６を介して解放することができる機械的コネクタ１８４４によって取り付けることができる。図１９に示す別の実施形態では、基部１９０４およびマウスピース１９０２は、フォーク型の機械的接続１９４８を介して一緒に取り付けることができる。フォーク部分を一緒に締め付けることにより、接続１９４８をロックまたはロック解除することができる。図２０に示すさらに別の実施形態では、締め付けカラー２０５０を使用して、基部２００４およびマウスピース２００２を接続することができる。
【００５３】
さらに、図１４Ａ〜図１４Ｂに示すように、いくつかの実施形態では、本明細書に記載の歯科用装置は、マウスピース１４０２と基部１４０４との間に可撓性部分１４４４を含むことができる。例えば、可撓性部分１４４４は、部分１４４４が容易に曲がることを可能にする一連の切り欠きを含むことができる。可撓性部分１４４４が、例えば、口の外側で生じる振動の量を制限することによって、および基部が突然トルクをかけられた場合にバイトプレートを通って口に生じるトルクの量を低減することによって、患者の快適性が増す。可撓性部分は、患者の口に容易に適合する楕円形の断面を有することが可能であり、それによって患者の快適性を増加させる。
【００５４】
図３０Ａ〜図３０Ｃに示すように、本明細書に記載の歯科用装置は、テーパー状のマウスピース２９０２を含むことができる。すなわち、マウスピース２９０２は、前部（前歯に接触する）ではより厚く、後部（奥歯、例えば臼歯に達する）ではより薄い寸法にまで先細りとなり得る。したがって、マウスピース２９０２は全体的なくさび形の輪郭を有することができる。いくつかの例では、マウスピース２９０２は、前部に６．３ｍｍと１０ｍｍとの間の最大の厚さを有し、後部に４ｍｍと７．７ｍｍの間の最小の厚さを有し、０度（勾配なし）と約８度の間の勾配を有し得る。このテーパー状の輪郭を有することは、マウスピース２９０２が歯列（口の前部では後部より広い開口部を有する）内で良好に位置するのに、寄与することができる。
【００５５】
図３０Ａ〜図３０Ｃに示すように、本明細書に記載の歯科用装置の基部２９０４は、小さなほぼ矩形の基部を有することができる。例えば、基部は、５立方インチ未満の容積、例えば４立方インチ未満の容積、例えば３立方インチ未満の容積を有することができる。図３１の分解図に示すように、基部２９０４は、シェル３１３０を含むことができ、これは、オン／オフボタン３１３４、２つの回路基板３１３１ａ、３２３１ｂ、それらの間の小型電池３１３３、小型モータ３１３２、および通信センサ、例えば、ブルートゥース（登録商標）、ＲＦＩＤ、またはＬＥＤ通信機などの、装置に関する情報（例えば、装置の使用および／または充電器における装置の存在）を、補完的な装置、携帯電話、またはコントローラに通信するように構成されたものを含む。基部３９０４は、例えば、スナップ嵌めによってマウスピース２９０２に接続され、マウスピース２９０２から分離され得る。
【００５６】
依然として図３０Ａ〜図３０Ｃを参照すると、いくつかの実施形態では、マウスピース２９０２は、歯の咬合面に接触する部分のみを有してよい、すなわち縁の周りに延びるリップ部分を有さないでよい。垂直方向の制限にほとんど制限がないことにより、例えば異常に深い咬合に関係なく、より完全で良好なアライナの接触が可能になる。
【００５７】
さらに、いくつかの実施形態では、マウスピースは、外側マウスガードと内側バイトプレートの両方を含むことができる。マウスガードは、エチレン−酢酸ビニル（ＥＶＡ）樹脂のような高デュロメータプラスチック材料で作ることができ、一方で内側バイトプレートは金属で作ることができる。有利なことに、高デュロメーター材料で作られた外側マウスガードを有することにより、外部は、歯および／またはアライナの表面（例えば、咬合面）に、エネルギーをより効率的に伝達することができる。同様に、剛性のあるバイトプレートを有することにより、バイトプレートは、基部２９０４のアクチュエータ／モータから遠位のより大きなエネルギーを送ることができ、臼歯領域における振動の強化（例えば、アライナの着座のため）が可能になる。
【００５８】
図１５〜図１７に示すように、本明細書で説明される装置は、例えば標準的な小型のＵＳＢ接続を使用して、充電ステーションにおいて充電されるように構成することができる。図１５Ａに示すように、充電ステーションは、使用されていない間に装置を保護するように構成された保護カバー１５０２を含むことができる。次いで、保護カバー１５０２を充電用基部（図１５Ａ〜図１５Ｂには図示せず）に配置することができる。図１６Ａ〜図１６Ｄに示すように、充電ステーション１６００は、保護カバー１６０２および充電用基部１６０４を含むことができる。コネクタスロット１６０６を使用して、充電用基部１６０４にケース１６０２を置くことができる。図１６Ｃに示すように、充電ピン１６０８は、充電用基部１６０４から保護カバー１６０２を介して装置１６１０に接続して装置を充電することができる。表示灯１６１２は、充電ステーション１６００が充電中であるかどうかを示すことができる。同様のステーション１７００が図１７Ａ〜図１７Ｄに示されている。他のサイズ、形状、およびタイプの充電ステーションを使用できることを理解されたい。
【００５９】
別の充電ステーション３２００を図３２Ａ〜図３２Ｄに示す。充電ステーション３２００は、マウスピース２９０２および基部２９０４のケースを兼ねる。したがって、充電ステーション３２００は、基部を完全に覆い、マウスピース２９０２および基部２９０４を保護するように構成された蓋３２２２を含む。充電ステーション３２００の底部３２３４は、マウスピース２９０２と基部２９０４の両方を収容するように構成された特別に設計されたポケットを含むことができる。充電ステーション３２００は、基部２９０４の近くに配置された回路基板３２３２を含むことができる。さらに、基部は、発光ダイオード（ＬＥＤ）、無線自動識別（ＲＦＩＤ）、近距離通信（ＮＦＣ）、またはブルートゥース（登録商標）など、ケースの回路基板と通信するように構成された通信センサを含むことができる。通信センサは、例えば、基部２９０４が充電ステーション３２００にあるときに信号を出すことができ、基部２９０４が存在しないときに充電ステーション３２００が電源を切り、電力を引き出さずに、不要なエネルギーを消費しないようにする。通信センサは、マウスピースの使用に関する情報などの情報をダウンロードして、回路基板３２３２に格納するためにも使用することができる。
【００６０】
いくつかの実施形態では、本明細書で説明する歯科用装置および／または充電ステーションは、携帯電話、タブレット、またはコンピュータ用のアプリケーションで動作するように構成することができる。例えば、使用情報（使用の長さ、使用時間など）などの格納された情報をアプリケーションに転送できるようにするブルートゥース通信ネットワークを確立することができる。アプリケーションは、例えば、別々の患者に対し別個の識別子を有することができる（例えば、同一の基部を用いて、異なるマウスピースを異なる患者に対して使用する場合）。さらに、いくつかの実施形態では、通信ネットワークは、装置が振動しているときおよび／または使用中であるときに、停止または一時停止することができる。
【００６１】
いくつかの実施形態では、歯科用装置、基部、および／または充電ステーションは、誘導式（すなわち、ワイヤレス）充電によって充電することができる。
【００６２】
いくつかの変形例では、歯科用装置は、使用者に装置の状態を示す視覚的方法を有することができる。装置には、光インジケータを付けることができる。インジケータは、例えば、ＬＥＤ光とすることができ、１つ以上の色を表示するように構成することができる。いくつかの実施形態では、光は、色を変えたり、設定された期間点灯したり、同じ色の２つ、３つ、または４つのシーケンスで急速に点滅し、かつ／または前の機能のいずれかを組み合わせて実行するように構成できる。特定の色または点滅のシーケンスは、装置の状態、例えば装置がオンまたはオフである状態、振動サイクルが進行中および／または完了している状態、治療セッションが中断されている状態、バッテリが満充電になっている状態または残量が少ない状態、および／または装置が外部装置に接続されている状態を示すことができる。例えば、一色の連続的に点滅し得る光が、特定の振動サイクル、例えば５分サイクルが進行中であることを示し得る。サイクルが完了したことを示すために、３回の点滅後に休止を伴う一色の光の３回の点滅を使用することができる。異なる色の３つの点滅セグメントを使用して、処置セッションが完了する前に使用者がオン／オフスイッチを押したことを示すこともできる。設定された時間ウィンドウ（例えば３０分）内に処置セッションが中断され、完了していないことを示すために、一色の３回の点滅を使用してもよい。異なる色の光および点滅の回数を使用して、歯科用装置のバッテリ残量が少なく、充電が必要であることを示すことができる（例えば、マゼンタの光の点滅）。一色の連続した光を用いて、装置が電源に接続されていることを示すことができる。装置が充電されたことを示すために、連続的に点灯される異なる光を使用することができる。他の光インジケータを使用して、装置がオン／振動していることを示すことができる。さらに別の例では、特定の色の一連の点滅光を使用して、使用者が装置のＵＳＢポートを外部装置に接続したことを示すことができる。特定の色の一連の点滅光を使用して、セッションが中断され、装置のＵＳＢポートが事前に定めた時間ウィンドウ内にアクセスされたときについて示すことができる。
【００６３】
一実施形態では、以下の信号を使用することができる。（１）青色の光は、５分間のサイクルが進行中であることを示す。（２）緑色の光は、５分間のサイクルが完了したこと（３回点滅）または装置が完全に充電されたことを示す。（３）赤い光は、処置が完了する前に使用者によりスイッチが押されたこと、５分間の処置が中断され、３０分のウィンドウ内では再開されていないこと、装置がオン／振動していて使用者が充電器に接続していること（かかる場合には、振動を自動的に止めることもできる）、および／または５分間の処置が中断され、使用者が３０分のウィンドウ内で充電器に接続していることを示す。（４）マゼンタの光は、装置が低バッテリレベルであることを示す。（５）黄色の光は、装置が充電器に接続されていることを示す。
【００６４】
いくつかの実施形態では、歯科用装置は、動作速度で急激に振動することによって患者を激しく振動させるのを防ぐのに役立つモータランプアップシーケンスを含むことができる。モータランプアップシーケンスを使用するとき、使用者が歯科用装置の「ＯＮ」ボタンを押すと、モータは動作周波数または加速度までゆっくりとランプアップする。歯科用装置がスタンバイ加速度からアクティブセッション加速度に達するのに要する時間は、例えば１０秒〜６０秒、例えば２０秒〜４０秒、例えば約３０秒であってもよい。
【００６５】
いくつかの実施形態では、本明細書に記載の歯科用装置は、円筒状モータおよびパンケーキ形モータの両方のような２つ以上のモータを含むことができる。そのような実施形態は、例えば、複数の動作モードを有することができる。１つのモードを歯の動きを加速するために機能させることができ、１つのモードを保持のために機能させることができ、１つのモードを着座のために機能させることができ、および／または１つのモードをリモデリングのために機能させることができる。これらのモードは、例えば、振動の周波数、出力、および／または負荷歪みにおいて異なり得る。
【００６６】
いくつかの実施形態では、本明細書に記載の振動歯科用装置を使用して、歯の周囲の骨を強化し、歯の周囲の靭帯を締め付けて、例えば保持、例えばブレースを除去した後の歯科矯正上の保持をすることができる。例えば、装置は、歯列矯正後に歯周靭帯を締め付けるために、１８０日以下、１２０日以下、または９０日以下の間、１日あたり１０分未満、例えば６分未満、例えば約５分、５分未満、または１分未満口に入れることができる。そのような使用は、従来型のリテーナに加えて、またはその代わりにすることができる。装置を使用することにより、歯根靭帯の締め付けに要する時間を有利に著しく短縮することができる（平均６ヶ月〜１年から）。さらに、いくつかの実施形態では、歯科用装置は、全体的な歯の強化を提供するために、１日あたり２分未満、例えば１日１分未満など、継続的に使用することもできる。さらに、本明細書に記載される歯科用装置は、歯科インプラント処置間の骨の強化、靭帯の締め付け、歯周療法術での洗浄および処置後、例えば骨移植後の骨の強化に使用することもできる。
【００６７】
他の実施形態では、本明細書に記載の振動装置は、ＣｌｅａｒＣｏｒｒｅｃｔ（商標）またはＩｎｖｉｓａｌｉｇｎ（商標）のようなリモデリングアライナ（すなわち、歯を再配置するように設計されたアライナ）、および／または保持アライナ（すなわち、最終的に得られる歯の位置を保持するように設計されたアライナ）、例えばＶｉｖｅｒａ（商標）などのアライナを着座させるのに使用できる。特に、本明細書に記載された装置によって付与された振動を使用して、アライナを患者の歯の適切な位置に移動させることができ、それによって、アライナ処置の有効性を高めることができる。本明細書に記載の歯科用装置のいずれも、アライナの着座を補助するように構成することができる。歯科用装置は、患者の歯の最適な位置にアライナを静かに動かすために、アライナに特定のレベルおよび持続時間の振動を与えることができる。なされた振動は、着用者の歯の咬合領域にアライナを着座させるのを補助するだけでなく、アライナを着用者の歯の表面全体（歯の頬側、舌側、近心側、遠心側、および歯間面を含む）に固定するのを補助する。いくつかの実施形態では、加速度は０．０１Ｇ〜１．０Ｇである。いくつかの実施形態では、周波数は６０Ｈｚと１３０Ｈｚとの間、例えば１１０Ｈｚと１３０Ｈｚとの間、例えば約１２０Ｈｚである。
【００６８】
図２９Ａ〜図２９Ｃは、歯科用装置３０００を示す。歯科用装置３０００は、マウスピース３００２に取り付けられた基部３００４を含み、マウスピース３００２は、バイトプレート３０１４および／またはマウスガード３０３４を含むことができる。図２９Ａは、着用者の歯に配置される典型的なアライナ３０９０を示す。歯科用装置３０００を使用する前に、アライナ３０９０は着用者の歯に固定されるが、着用者がアライナ３０９０を押し下げた後でも着用者の歯とアライナ３０９０との間に隙間が残る。図２９Ｂは、歯科用装置３０００を使用した後のアライナ３０９０と着用者の歯との間の界面を示す。アライナ３０９０と着用者の歯との間には隙間がなく、アライナは着用者の歯に均一に着座している。換言すれば、装置３０００の振動は、最初にアライナを歯に押し付けるだけでなく、アライナを歯に完全に着座させることができる、すなわち、歯とアライナの間の空気の隙間なしにアライナを歯に緊密に適合させることができる。
【００６９】
着座に使用される歯科用装置３０００は、本明細書に記載の歯科用装置の別の実施形態（例えば図３０Ａ〜図３０Ｇに示されるもの）で置き換えることができ、および／または本明細書に記載の様々な歯科用装置の特徴の任意の組み合わせを含むことができる。
【００７０】
歯科用装置３０００（またはアライナを着座させるための任意の装置）は、マウスガードを含むマウスピースを含むことができる。マウスガードは、アライナの咬合面にのみ接触するように成形することができ、またはアライナの実質的にすべての主表面に接触するように成形することができる（例えば、平担な咬合面から延在する隆起または棚部を含むことができる）。患者の歯に固定するときアライナのすべての主表面に接触するマウスガードは、アライナを上から着座させるだけでなく、前顔面および後舌面に沿って着座させるために有利であり得る。バイトプレートと同様、マウスガードは、一般的なものであっても、特定の患者用にカスタマイズしていてもよい。マウスガード３０３４はまた、振動および加速の適用時にアライナの穏やかな着座を助けることができる一連の突起、くぼみ、ディンプル、溝を含むことができる。突起、ノブおよびディンプルは、平坦なバイトプレートまたはマウスピースが到達しなかった可能性があるアライナの表面に沿って、凹んだ領域を押すことができる。さらに、くぼみおよび溝は、歯科用装置が、患者の歯の剛性の特徴に対応するアライナの表面の領域を過度に強く押すのを防ぐことができる。
【００７１】
いくつかの変形例では、着座のために使用されるバイトプレートまたはマウスガードは、軟質の弾性カバーを含むことができる。軟質の弾性カバーは、バイトプレートまたはマウスガードから取り外し可能であり、ひび割れの場合または損傷を受けた場合にカバーを取り替えるだけでなく、容易にクリーニングすることもできる。軟質の弾性カバーはまた、アライナの咬合面の不均一なトポグラフィを収容するための突起、溝、くぼみなどの表面の差異を含むことができる。
【００７２】
いくつかの例では、着座のために使用されるマウスピースは、アライナの突起またはくぼみに概ね対応する一連の突起またはくぼみ（例えば、図２９Ｃに示すようなもの）を含むことができ、これらは、ひいては臼歯および小臼歯、犬歯、および切歯の表面の隆線に対応し得る。アライナに対応する突起またはくぼみを伴うバイトプレートを有することが、アライナの適切な着座をさらに補助することができる。バイトプレートは、一般的なものであってもよく、特定の患者に合わせてカスタマイズされてもよい。いくつかのケースで、患者は、異なる使用者用の多様なサイズのマウスピースを得ることができる（例えば、複数の子供または大人が透明なアライナでの歯の調整を経ている家庭で、１つのバイトプレートを使用してもよい）。
【００７３】
歯科用装置は、患者の歯の咬合面における振動レベルを検出することができる上述のセンサに加えて、アライナの咬合面と接触する表面に１つ以上の圧力センサを含むこともできる。圧力センサは、例えば、着用者が歯科用装置のマウスピースに十分な力を加えていないとき、および／または着用者が強く噛み過ぎることによりマウスピースに過度の力を加えるときを検出することができる。マウスピースは、十分な力がマウスピースに及ぼされているかどうかを検出するための１つ以上のセンサを含むことができるが、マウスピースは、また、マウスピース全体に亘って間隔を置いて配置された複数のセンサを含み、着用者がマウスピース（したがって、アライナ）に亘って等しい圧力を加えているか、着用者が一方の側にあまりにも多くの力を加え、他方の側には十分に力をかけていないかということを示すように構成できる。いくつかの例では、歯科用装置は、装置がオンにされたとき、および不十分な力が加えられているときに関連する音声信号と、センサで過度の圧力が検知されているときに装置から来る異なる音の音声信号とを有することができる。
【００７４】
装置はまた、アライナを着座させるために（すなわち、骨を成長させるためや、骨を再配置するためにではなく）、特に歯科用装置上に保存された１つ以上のプログラムを含むことができる。アライナを着座させるためのプログラムは、振動周波数および加速度だけでなく、アライナの表面に亘る振動の持続時間およびシーケンスにおいても、骨を成長させるプログラムとは異なる場合がある。例えば、歯科用装置を使用するプログラムは、最初に、アライナの咬合領域に対応するすべての領域を同時に振動させ、その後、同一または異なる振動および加速度のレベルで、アライナに亘る異なる領域を順次振動させるように設定することができる。プログラムは、異なるシナリオでアライナを着座させるための異なるプログラムに対応する異なる周波数を適用することができる。いくつかの例では、プログラムを完了するのに必要な数の振動（例えば、５分以内に３６，０００振動）が存在し得る。異なる一連の振動の持続時間は、約１分〜約５分の間のいずれかであればよい。アライナを着座させるためのプログラムは、セッションの開始時および終了時に異なる設定または異なる音声信号を含むことができる。セッションは、アライナを着座させるために１分から５分の間続けることができる。好都合なことに、装置は、４分未満、３分未満、または２分未満など、５分未満の間振動することによってアライナを着座させることができる。いくつかの実施形態では、装置は、自動的に遮断される前に短時間（例えば、３０〜９０秒、例えば約１分間）装置が振動する迅速着座設定と、自動的に遮断される前により長い時間（例えば、３〜６分、例えば、約５分間）装置が振動する標準着座設定とを含むことができる。迅速着座は、例えば、１日を通して使用することができ、アライナを定期的に取り外すことができるが、標準着座はアライナがより長期間定位置に留まるときに、寝る前に使用することができる。
【００７５】
図２９Ａおよび図２９Ｂに示すように、歯科用装置３０００がすべての歯（および／またはアライナの咬合面）を横切って延在するので、同時にアライナのすべての領域に一度に振動を加えることができ、これにより、同時にアライナを歯列弓のすべての歯に一度に着座させ、アライナの歪みを防止する（例えば、アライナの咬合面の特定の局部的なスポットにのみ力を加えるＣｈｅｗｉｅｓ（商標）アライナシータとは対照的である）。有利なことに、同時の整列は、アライナの一貫した着座をもたらし、着用者の歯とアライナとの間のあらゆる隙間を最小限に抑える。また、振動は、着座のために多方向の力を提供することができ、単一の下向きの力とは対照的に着座位置にアライナを静かに「振る」ことができるので、同時の整列が着用者にとってより快適になり得る。また、歯科用装置３０００は、アライナを迅速かつ容易に、一貫して着座させるために、適切な周波数（例えば、１００Ｈｚ以上の高周波数、例えば１２０Ｈｚ）で有利に振動することができる。歯科用装置３０００は、有利には（例えば、Ｃｈｅｗｉｅｓ（商標）とは異なり）咬合力を必要とせず、振動だけで作用する。着座のために歯科用装置３０００を使用することは、使用中にアライナを適切に配置するのを確実にすることにより、患者がアライナを着用するのに必要な時間を短縮することができ、それによってリモデリングおよび／または保持を高速化する。さらに、着座のための歯科用装置３０００の使用は、不適切に着座したアライナに伴う痛みを緩和するのに役立つ。
【００７６】
いくつかの実施形態では、アライナを着座するための振動力は、主としてアライナの咬合面で（すなわち、舌側面または頬側面に接触するように縁の周りに隆起や棚部がなく、咬合面平面に実質的に平行に延在するマウスピースによって）生じ得る。他の実施形態では、アライナを着座するための振動力は、咬合面、頬側面および舌側面で生じ得る。他の実施形態では、刺激は主に舌側面および／または頬側面で起こり得、咬合側の表面では起こり得ない。
【００７７】
アライナを着座させるための本明細書に記載の振動装置の使用による例示的な結果が、図３４Ａ〜図３５Ｅに示されている。この実施形態では、アライナを使用しており、また患者が１２０Ｈｚで振動する振動装置を、アライナを適所に配置して寝る前に５分間使用した（図３４Ａ〜図３４Ｂ参照）。図３５Ａ〜図３５Ｅに示すように、アライナは、振動装置の使用後に完全に着座した。２０週間で症例が完了し（すなわち、歯が完全にリモデリングされた）、微調整させることは必要なかった。下側の叢生が解決し、クラスＩＩの犬歯は、クラスＩＩエラスティックを用いクラスＩの関係に修正された。
【００７８】
本明細書に記載されているような振動装置を用いてアライナを着座するときに加えられる力を示す例示的な試験結果が、図３７Ａ〜図３７Ｂに示されている。この実施形態では、スタンドは、咬合器を所望の高さに固定するように設計された。下側のアーチの模型を咬合器に取り付け、上側のアーチの模型を咬合器に直接接続せずに整列させた。これにより、２つのアーチの正しい咬合位置が確保された。上側のアーチの上面をロードセルに取り付けた。試験を容易にするために、組立体全体を上下逆さにして配置し、上顎（上側のアーチ）を下にした。ロードセルをスタンドの基部プレートに設置した。ロードセルのｘ軸は矢状方向にあり、ｙ軸は咬合器の軸に平行であり、ｚ軸は垂直方向（頂点−咬合方向）であった。座標の定義は３７Ａに示している。下側のアーチを上側のアーチの頂部に配置した。咬合器により、それは、咬合器のヒンジの周りを動くことが可能になり、顎の開閉をシミュレートする。振動装置３７００は、上側アーチモデルと下側アーチモデルとの間に配置された。下側のアーチの頂部に重りを置き、咬合力をシミュレートした。ロードセルには電子装置によって電力が供給され、データはコンピュータによって収集された。サンプルレートは５００Ｈｚに設定した。アライナのあるときとないときの両方で、各方向の力を測定した。図３７Ｂは、結果として生じる力を示す。図３７Ｂに示すように、装置３７００は、主にＦｘおよびＦｚで力を生成しており、合力が矢状面（ｘ−ｚ）に密接にあることを意味している。好都合なことに、矢状面に合力を持たせることにより、（力がＦｘ、Ｆｙ、Ｆｘ方向のすべてにある場合に生じる可能性がある）アライナをずらすことなくアライナを適切に着座させることができる。
【００７９】
アライナを着座させるべく機能するように設計された例示的な装置３３００が、図３３Ａ〜図３３Ｃに示されている。この実施形態では、基部３３０４は、バッテリ３３３１、モータ３３３７、および駆動ピン３３３５を含む。モータ３３３３は、駆動ピン３３３５を振動させるように構成されている。プラスチック円筒状部品３３３３は、通常の使用時に駆動ピン３３５に着脱されるように構成されている。円筒状部品３３３は、例えば、スチレンコポリマーなどの発泡体またはスポンジ状のプラスチックで作ることができる。いくつかの実施形態では、円筒状部品３３３は、駆動ピン３３５に配置されるＣｈｅｗｉｅｓｔ（商標）とすることができる。円筒状部品３３３３は、駆動ピン３３５に配置され、使用者による咀嚼動作を必要とすることなくアライナの着座を可能にするように（本明細書で説明するように）アライナの咬合面に対して振動させることができる。使用後、円筒状部品３３３３を取り外すことができる。
【００８０】
いくつかの実施形態では、本明細書に記載の装置は、携帯電話、タブレット、またはコンピュータなどのソフトウェアアプリケーションと共に使用することができる。装置を使用するための例示的なユーザインタフェースはアライナの着座であり、図３６Ａ〜図３６Ｃに示されている。例えば、使用者は、振動装置をソフトウェアに（ＵＳＢ、Ｂｌｕｅｔｏｏｔｈ（登録商標）などを介して）接続することができる。図３６Ａにおいて、ユーザインタフェースは、患者への装置の割り当て、装置から得る使用概要、または格納された記録から得る使用概要の選択を可能にすることができる。図３６Ｂにおいて、使用者は、装置または装置のマウスピースを患者に割り当てることができる（２人以上の患者が、例えば異なるマウスピースを用いて同じ装置を使用することができる）。図３６Ｃにおいて、ユーザインタフェースは、使用日と時間および全体的な使用上の目標を示すことができる。好都合なことに、使用データは、より患者に使用を順守（例えば、アライナ着座および／または保持プロトコルへの準拠）させるよう促すことができる。
【００８１】
いくつかの実施形態では、本明細書に記載の振動装置は、歯科インプラントのインテグレーション（例えば、骨内インプラント）の補助に使用することができる。すなわち、本明細書に記載された装置を使用することは、インプラントを適所に固定する歯科インプラントの回りでの再成長を促進することができる。インプラントのインテグレーションを支援するための振動セッションは、アライナを着座させるためのプログラムと同じでも異なってもよい。一実施形態では、歯科用装置は、０．３Ｇの加速度および６０Ｈｚの周波数を有するようにプログラムされる。別の実施形態では、歯科用装置は、０．６Ｇの加速度、６０Ｈｚの周波数を有するようにプログラムされる。インプラントのインテグレーションのための振動セッションは、数分間（例えば、３〜８分）実行するようにプログラムすることができる。本明細書に記載の歯科用装置は、所望のインプラントのインテグレーションプログラムを選択するための制御オプションを有することができる。いくつかの例では、歯科用装置は、歯槽骨の喪失に苛まれている口内の領域をより正確に標的とするように、口の特定の象限に振動を加えるように構成することができる。
【００８２】
いくつかの実施形態では、本明細書に記載の歯科用装置の振動を用いて、歯周靭帯および／または軟組織を刺激し、アライナおよび／または他の歯科矯正装置からの圧力下で歯の動きを促進する、軟組織への細胞の動員を引き起こす。いくつかの実施形態では、振動は軟組織および骨細胞におけるミトコンドリアを刺激することもでき、同様に歯列矯正治療の促進をもたらすことができる。
【００８３】
特定の実施形態を参照して本明細書に記載されるマウスピースおよび基部の様々な要素は、本明細書に記載される任意の他の実施形態と置き換えおよび／または組み合わせることができることを理解されたい。
【００８４】
当業者のレベル内で、材料および製造技術を含む本発明に関連するさらなる詳細を利用することができる。一般的または論理的に使用される追加の行為の観点から、本発明の方法に基づく態様に関しても、同様のことがあてはまる。また、記載された本発明のバリエーションのいずれかの任意選択の特徴は、独立して、または本明細書に記載される特徴のいずれか１つ以上と組み合わせて記載され、特許請求され得ることが企図される。同様に、単一の項目への言及は、複数の同じ項目が存在する可能性があることを含む。より具体的には、本明細書および添付の特許請求の範囲で使用される場合、単数形「ａ」、「ａｎｄ」、「ｓａｉｄ」および「ｔｈｅ」は、文脈上他に明確に指示されない限り、複数の指示対象を含む。特許請求の範囲はいずれかの任意選択の要素を排除するように作成してもよいことにさらに留意されたい。したがって、この記述は、特許請求の要素の列挙または「否定的」制限の使用に関連して「ｓｏｌｅｌｙ（専ら）」、「ｏｎｌｙ（単なる）」などのような排他的な用語を使用するための前提として役立つことを意図している。本明細書で他に定義されない限り、本明細書で使用されるすべての技術用語および科学用語は、本発明が属する技術分野の当業者によって一般的に理解されるのと同じ意味を有する。本発明の範囲は、本明細書によって限定されるのではなく、むしろ、使用される請求項の用語の明白な意味によってのみ限定される。
【図１Ａ】
2019506252.tif 000003
【図１Ｂ】
2019506252.tif 000004
【図１Ｃ】
2019506252.tif 000005
【図２】
2019506252.tif 000006
【図３Ａ】
2019506252.tif 000007
【図３Ｂ】
2019506252.tif 000008
【図３Ｃ】
2019506252.tif 000009
【図３Ｄ】
2019506252.tif 000010
【図４Ａ】
2019506252.tif 000011
【図４Ｂ】
2019506252.tif 000012
【図４Ｃ】
2019506252.tif 000013
【図５Ａ】
2019506252.tif 000014
【図５Ｂ】
2019506252.tif 000015
【図５Ｃ】
2019506252.tif 000016
【図６】
2019506252.tif 000017
【図７Ａ】
2019506252.tif 000018
【図７Ｂ】
2019506252.tif 000019
【図８Ａ】
2019506252.tif 000020
【図８Ｂ】
2019506252.tif 000021
【図９Ａ】
2019506252.tif 000022
【図９Ｂ】
2019506252.tif 000023
【図１０Ａ】
2019506252.tif 000024
【図１０Ｂ】
2019506252.tif 000025
【図１１】
2019506252.tif 000026
【図１２Ａ】
2019506252.tif 000027
【図１２Ｂ】
2019506252.tif 000028
【図１２Ｃ１】
2019506252.tif 000029
【図１２Ｃ２】
2019506252.tif 000030
【図１２Ｄ】
2019506252.tif 000031
【図１３Ａ】
2019506252.tif 000032
【図１３Ｂ】
2019506252.tif 000033
【図１３Ｃ】
2019506252.tif 000034
【図１３Ｄ】
2019506252.tif 000035
【図１３Ｅ】
2019506252.tif 000036
【図１３Ｆ】
2019506252.tif 000037
【図１４Ａ】
2019506252.tif 000038
【図１４Ｂ】
2019506252.tif 000039
【図１４Ｃ】
2019506252.tif 000040
【図１４Ｄ】
2019506252.tif 000041
【図１５Ａ】
2019506252.tif 000042
【図１５Ｂ】
2019506252.tif 000043
【図１６Ａ】
2019506252.tif 000044
【図１６Ｂ】
2019506252.tif 000045
【図１６Ｃ】
2019506252.tif 000046
【図１６Ｄ】
2019506252.tif 000047
【図１７Ａ】
2019506252.tif 000048
【図１７Ｂ】
2019506252.tif 000049
【図１７Ｃ】
2019506252.tif 000050
【図１７Ｄ】
2019506252.tif 000051
【図１８】
2019506252.tif 000052
【図１９】
2019506252.tif 000053
【図２０】
2019506252.tif 000054
【図２１Ａ】
2019506252.tif 000055
【図２１Ｂ】
2019506252.tif 000056
【図２１Ｃ】
2019506252.tif 000057
【図２１Ｄ】
2019506252.tif 000058
【図２２】
2019506252.tif 000059
【図２３Ａ】
2019506252.tif 000060
【図２３Ｂ】
2019506252.tif 000061
【図２４Ａ】
2019506252.tif 000062
【図２４Ｂ】
2019506252.tif 000063
【図２４Ｃ】
2019506252.tif 000064
【図２５Ａ】
2019506252.tif 000065
【図２５Ｂ】
2019506252.tif 000066
【図２５Ｃ】
2019506252.tif 000067
【図２６Ａ】
2019506252.tif 000068
【図２６Ｂ】
2019506252.tif 000069
【図２６Ｃ】
2019506252.tif 000070
【図２７Ａ】
2019506252.tif 000071
【図２７Ｂ】
2019506252.tif 000072
【図２７Ｃ】
2019506252.tif 000073
【図２８】
2019506252.tif 000074
【図２９Ａ】
2019506252.tif 000075
【図２９Ｂ】
2019506252.tif 000076
【図２９Ｃ】
2019506252.tif 000077
【図３０Ａ】
2019506252.tif 000078
【図３０Ｂ】
2019506252.tif 000079
【図３０Ｃ】
2019506252.tif 000080
【図３１】
2019506252.tif 000081
【図３２Ａ】
2019506252.tif 000082
【図３２Ｂ】
2019506252.tif 000083
【図３２Ｃ】
2019506252.tif 000084
【図３２Ｄ】
2019506252.tif 000085
【図３３Ａ】
2019506252.tif 000086
【図３３Ｂ】
2019506252.tif 000087
【図３３Ｃ】
2019506252.tif 000088
【図３４Ａ】
2019506252.tif 000089
【図３４Ｂ】
2019506252.tif 000090
【図３５Ａ】
2019506252.tif 000091
【図３５Ｂ】
2019506252.tif 000092
【図３５Ｃ】
2019506252.tif 000093
【図３５Ｄ】
2019506252.tif 000094
【図３５Ｅ】
2019506252.tif 000095
【図３６Ａ】
2019506252.tif 000096
【図３６Ｂ】
2019506252.tif 000097
【図３６Ｃ】
2019506252.tif 000098
【図３７Ａ】
2019506252.tif 000099
【図３７Ｂ】
2019506252.tif 000100
【国際調査報告】
2019506252.tif 000101
2019506252.tif 000102
2019506252.tif 000103